(57)【要約】【課題】  ベルトに対して簡単に着脱できる小物ケースの提供。【解決手段】  各種小物類を収納できる小物ケース本体１と、該小物ケース本体１の裏面に回動可能に軸支される縦長のクリップ片２とから成り、該クリップ片２の下端部側に内側に向けＵ字状に湾曲するフック部６を一体に形成すると共に、同上端部側に該フック部６を開閉操作する操作部７を一体に形成する一方、上記クリップ片２のフック部６を常時小物ケース本体１の裏面方向に弾発付勢するばね５を有することにより、クリップ片２の操作部７を小物ケース本体１の裏面側に押し付けると、クリップ片２のフック部６が外側に回動して、ベルトＢの挿通口８を形成するので、これにより、ベルトＢに小物ケース本体１を装着する時でも、ベルトＢから小物ケース本体１を取り外す時でも、ベルトＢをしたまま、その着脱が頗る簡単に行なえる。【選択図】  図３
0003168798.tif 000002
【実用新案登録請求の範囲】
【請求項１】
携帯電話などの各種小物類を収納する小物ケース本体と、該小物ケース本体の裏面に回動可能に軸支される縦長のクリップ片とから成り、該クリップ片の下端部側に内側に向けＵ字状に湾曲するフック部を一体に形成すると共に、同上端部側に該フック部を開閉操作する操作部を一体に形成する一方、上記クリップ片のフック部を常時小物ケース本体の裏面方向に弾発付勢するバネを有することを特徴とする小物ケース。
【考案の詳細な説明】
【技術分野】
【０００１】
本考案は、腰に巻くベルトに装着して持ち運べる小物ケースに関し、特に、詳しくは、ベルトをしたままワンタッチで着脱できる小物ケースに関するものである。
【背景技術】
【０００２】
現今、ベルトに装着して持ち運べる小物ケースは色々と提案されているが、例えば、図４のＡに示すものは、小物ケース本体１０の裏面に金属製のクリップ片１１ａを止着して、該クリップ片１１ａの下端部にＶ字状の引掛部１２を形成して、該クリップ片１１ａの引掛部１２を利用してベルトＢに装着できる構造となっており、又、図４のＢに示すものは、小物ケース本体１０の裏面に布製のクリップ片１１ｂを止着して、該クリップ片１１ｂの下端部にボタン１３を嵌めるスリット（図示せず）を形成して、該スリットとボタン１３を利用してベルトＢに装着できる構造となっている。
【考案の概要】
【考案が解決しようとする課題】
【０００３】
然し乍ら、上記した前者の小物ケースは、金属製のクリップ片１１ａの弾性を利用して、小物ケース本体１０をベルトＢに装着するものであるが、実際に、ベルトＢに装着する時は、クリップ片１１ａをその弾性に抗して、下端引掛部１２を指先で無理に抉じ開けながらベルトＢを挿通しなければならず、逆に、ベルトＢから取り外す場合にも、その下端引掛部１２を指先で無理に抉じ開けながら、小物ケース本体１０をベルトＢから外さなければならないので、いずれにしても、自ずと、作業が大変となる嫌いがあった。
【０００４】
又、後者の小物ケースは、ボタン１３とスリットを利用して、小物ケース本体１０をベルトＢに装着するものであるが、この場合にも、ベルトＢに装着する時は、ボタン１３を外してクリップ片１１ｂの内側にベルトＢを挿通しながらボタン１３を掛け直さなければならず、逆に、ベルトＢから取り外す時にも、同様な作業が要求されるので、やはり、いずれにしても、作業が大変となる嫌いがあった。
【０００５】
特に、これら従来の小物ケースは、共に、倉庫内などでの作業中に、品物や棚に小物ケース本体１０をぶつけると、該小物ケース本体１０がベルトＢから容易に外れる恐れがある。
【課題を解決するための手段】
【０００６】
本考案に係る小物ケースは、斯かる実情に鑑み開発されたもので、携帯電話などの各種小物類を収納する小物ケース本体と、該小物ケース本体の裏面に回動可能に軸支される縦長のクリップ片とから成り、該クリップ片の下端部側に内側に向けＵ字状に湾曲するフック部を一体に形成すると共に、同上端部側に該フック部を開閉操作する操作部を一体に形成する一方、上記クリップ片のフック部を常時小物ケース本体の裏面方向に弾発付勢するバネを有することを特徴とする。
【考案の効果】
【０００７】
依って、本考案にあって、小物ケースをベルトに装着する場合には、小物ケース本体を把持しながら、そのクリップ片の上端操作部をバネ圧に抗して裏面方向に押し付けると、クリップ片の下端フック部が外側へ回動してベルト挿通口を形成するので、後は、小物ケース本体を押し下げながら、挿通口からベルトをクリップ片の内側に挿通して、上端操作部に対する押圧操作を解けば、これにより、ベルトをしたまま、小物ケースがベルトにワンタッチで装着される。
【０００８】
しかも、斯かる装着状態にあって、何かの強い外力で、小物ケース本体がベルトから外れようとしても、上記バネ圧による締め付けとフック部のＵ字形状に伴う抜け止めとで、ベルトからの脱落を強固に防止できるので、ベルトから小物ケース本体が簡単に外れる心配が全くなくなる。
【０００９】
又、小物ケースをベルトから取り外す時には、同様に、クリップ片の上端操作部をバネ圧に抗して小物ケース本体の裏面側に押し付ければ、やはり、フック部が外側へ回動してベルト挿通口を形成するので、このまま、小物ケース本体を上方に引き上げれば、ベルトからクリップ片が即座に外れて、やはり、ベルトをしたまま、小物ケースがワンタッチで取り外される。
【図面の簡単な説明】
【００１０】
【図１】本考案の実施例に係る小物ケースを裏面側から示す斜視図である。
【図２】クリップ片のフック部が小物ケース本体の裏面に弾接している状態を示す中央縦断面図ある。
【図３】クリップ片のフック部が外側へ回動してベルト挿通口を形成した状態を示す中央縦断面図である。
【図４】（Ａ）（Ｂ）は従来の小物ケースを示す側面図である。
【考案を実施するための形態】
【００１１】
本考案は、携帯電話などの各種小物類を収納する小物ケース本体と、該小物ケース本体の裏面に回動可能に軸支される縦長のクリップ片とから成る小物ケースを前提として、クリップ片の下端部側に内側に向けＵ字状に湾曲するフック部を一体に形成すると共に、同上端部側に該フック部を開閉操作する操作部を一体に形成する一方、上記クリップ片のフック部を常時小物ケース本体の裏面方向に弾発付勢するバネを有することにより、小物ケース本体をバンドをしたままワンタッチで着脱することのできる小物ケースを提供せんとするものである。
【実施例】
【００１２】
以下、本考案を図示する好適な実施例に基づいて詳述すれば、該実施例に係る小物ケースも、図１に示す如く、携帯電話などの各種小物類を収容する厚地ナイロン製の小物ケース本体１と、該小物ケース本体１の裏面に回動可能に軸支される縦長状を呈する合成樹脂製のクリップ片２とから成る。尚、このクリップ片２は、その上端近傍に一対の軸受部３を設けて、該各軸受部３に支軸４を嵌合して回動可能に取り付けられるものであるが、上記支軸４には後述するクリップ片２のフック部６を常時小物ケース本体１の裏面方向に弾発付勢する捩じりコイルばね５を設けるものとする。
【００１３】
そして、本実施例にあっては、この縦長のクリップ片２の下端部に対しては、内側に向けＵ字状に湾曲するフック部６を一体に形成し、同上端部に対しては、半円状を呈して上方に伸びる操作部７を一体に形成して、通常は、図２に示す如く、上記捩じりコイルバネ５のバネ圧で下端フック部６が小物ケース本体１の裏面に弾接されているが、操作部７をばね圧に抗して指で裏面側に押し付けると、図３に示す如く、フック部６が外側に回動して、ベルトＢの挿通口８を形成できる構成となっている。
【００１４】
依って、斯かる小物ケースをベルトＢに装着する時は、小物ケース本体１を把持しながら、そのクリップ片２の上端操作部７をばね圧に抗して裏面方向に押し付けると、図示する如く、クリップ片２の下端フック部６が外側へ回動してベルト挿通口８を形成するので、後は、そのまま、小物ケース本体１を押し下げながら、この挿通口８からベルトＢをクリップ片２の内側に挿通して、上端操作部７の押圧操作を解けば、これにより、小物ケース本体１がベルトＢにワンタッチで装着される。
【００１５】
しかも、斯かる装着状態にあっては、何かの強い外力で、小物ケース本体１がベルトＢから外れようとしても、フック部６のＵ字形状の作用で、ベルトＢからの脱落をしっかりと確実に防止できるので、ベルトＢから小物ケース本体１が不用意に外れる心配は全くない。
【００１６】
又、小物ケースをベルトＢから取り外す時には、同様に、クリップ片２の上端操作部７をばね圧に抗して小物ケース本体１の裏面側に押し付ければ、やはり、フック部６が外側に回動して、ベルトＢの挿通口８を形成するので、このまま、小物ケース本体１を上方に引き上げれば、ベルトＢからクリップ片２が即座に外れて、小物ケース本体１をワンタッチで取り外すことが可能となる。
【産業上の利用可能性】
【００１７】
本考案に係る小物ケースは、ベルトをしたまま簡単に着脱ができるので、これを各種小物ケースに応用すれば、頗る好都合なものとなる。
【符号の説明】
【００１８】
１  小物ケース本体
２  クリップ片
３  軸受部
４  支軸
５  捩じりコイルばね
６  フック部
７  操作部
８  挿通口
Ｂ  ベルト
【図１】
0003168798.tif 000003
【図２】
0003168798.tif 000004
【図３】
0003168798.tif 000005
【図４】
0003168798.tif 000006